(57)【要約】【課題】季節の変化に対して好適に対応できるとともに、壁面を緑化する植物の変更を簡単に行うことが可能な壁面緑化構造を提供することを目的とする。【解決手段】垂直面または傾斜面からなる壁面１を緑化してなる壁面緑化構造であって、植物を絡ませるための緑化用ネット２が、前記壁面１の前方に、この壁面１に対向するとともに、互いに対向するようにして複数配置されており、これら複数の緑化用ネット２，２には、それぞれ異なる性質の植物３，４が絡んでいることを特徴とする。これにより、各緑化用ネットにそれぞれ異なる性質の植物を生育させて管理できるので、季節の変化に対して好適に対応できるとともに、壁面を緑化する植物の変更を簡単に行うことが可能となる。【選択図】図２
2008079519.tif 000002
【特許請求の範囲】
【請求項１】
垂直面または傾斜面からなる壁面を緑化してなる壁面緑化構造であって、植物を絡ませるための緑化用ネットが、前記壁面の前方に、この壁面に対向するとともに、互いに対向するようにして複数配置されており、これら複数の緑化用ネットには、それぞれ異なる性質の植物が絡んでいることを特徴とする壁面緑化構造。
【請求項２】
請求項１に記載の壁面緑化構造において、
前記複数の緑化用ネットのうち、少なくとも１枚の緑化用ネットには常緑性の植物が絡んでおり、少なくとも１枚の緑化用ネットには落葉性の植物が絡んでいることを特徴とする壁面緑化構造。
【請求項３】
請求項１または２に記載の壁面緑化構造において、
前記壁面の前方に立設されるフレーム構造体に前記複数の緑化用ネットが張設されていることを特徴とする壁面緑化構造。
【請求項４】
請求項１または２に記載の壁面緑化構造において、
前記壁面の上部に突設される上側取付部と、前記壁面の下部に突設される下側取付部との間に前記複数の緑化用ネットが張設されていることを特徴とする壁面緑化構造。
【請求項５】
請求項１〜４のいずれか一項に記載の壁面緑化構造において、
前記複数の緑化用ネットよりも上方もしくは下方に、土壌等を収納するための収納体が設けられていることを特徴とする壁面緑化構造。
【発明の詳細な説明】
【技術分野】
【０００１】
本発明は、垂直面または傾斜面からなる壁面を緑化する壁面緑化構造に関する。
【背景技術】
【０００２】
近年、都市部には建物が増え、代わりに自然木が減りつつある。このような中、植樹等緑化植物により、気温、湿度、日照日射の調整といった物理的環境調整効果を得るとともに、景観の問題解消、視覚的効果といった心理的な効果を目的としたものも含み緑化が盛んに行われている。
【０００３】
この緑化に建物の壁面の緑化を行う、壁面緑化がある。従来、このような壁面緑化を行う方法、工法として、例えば建物の下部や上部に蔓性植物を植栽し、自然生長伸長により壁面を覆う方法や、特許文献１に開示されている植物育成のための土壌等を収納する収納体と該収納体より生育する植物を保持する保持体とからなるパネルを壁面に設置する工法等が知られている。
【特許文献１】特開平１０−３１３６９２号公報
【発明の開示】
【発明が解決しようとする課題】
【０００４】
ところが、従来の方法や工法では、季節の変化に対して効果的に対応できない場合があった。すなわち、上述のような保持体に絡ませる植物を、例えば、落葉性のものとした場合は、冬場には葉が枯れ落ち、絡み合った蔓や枝の間から建物の壁面がむき出しになってしまい、特に夜間の保温効果を得ることができない。
【０００５】
また、デザイン性の向上のため、上述のような保持体に複数種類の植物を絡ませる場合がある。しかしながら、一旦生育した植物を季節や趣向によって変更したいという要望があった場合には、絡み合った複数の植物どうしを解きほぐしたり、これら複数種類の植物全てを取り除いたりしなければならず、手間がかかるとともに新しい植物が再度生育するまでに時間もかかる。このため、壁面を緑化する植物の変更を簡単に行うことができるような技術の開発が望まれていた。
【０００６】
本発明の課題は、季節の変化に対して好適に対応できるとともに、壁面を緑化する植物の変更を簡単に行うことが可能な壁面緑化構造を提供することを目的とする。
【課題を解決するための手段】
【０００７】
請求項１に記載の発明は、例えば図１〜図５に示すように、垂直面または傾斜面からなる壁面１を緑化してなる壁面緑化構造であって、植物を絡ませるための緑化用ネット２が、前記壁面１の前方に、この壁面１に対向するとともに、互いに対向するようにして複数配置されており、これら複数の緑化用ネット２，２には、それぞれ異なる性質の植物３，４が絡んでいることを特徴とする。
【０００８】
請求項１に記載の発明によれば、各緑化用ネット２にそれぞれ異なる性質の植物３，４を生育させて管理できるので、各緑化用ネット２に絡ませる植物の種類を適宜選択することで、従来とは異なり、季節の変化に対して好適に対応することができる。
また、このように各緑化用ネット２にそれぞれ異なる性質の植物３，４を生育させて管理でき、互いに対向するようにして配置されているので、生育した植物を季節や趣向によって変更したいという要望があった場合に、変更したい緑化用ネット２だけを適宜変更することができる。これによって、従来とは異なり、絡み合った複数の植物どうしを解きほぐしたり、これら複数種類の植物全てを取り除いたり等の手間や時間を省くことができるので、壁面１を緑化する植物の変更を簡単に行うことができる。
【０００９】
請求項２に記載の発明は、例えば図２に示すように、請求項１に記載の壁面緑化構造において、
前記複数の緑化用ネット２，２のうち、少なくとも１枚の緑化用ネット２には常緑性の植物３が絡んでおり、少なくとも１枚の緑化用ネット２には落葉性の植物４が絡んでいることを特徴とする。
【００１０】
請求項２に記載の発明によれば、前記複数の緑化用ネット２，２のうち、少なくとも１枚の緑化用ネット２には常緑性の植物３が絡んでおり、少なくとも１枚の緑化用ネット２には落葉性の植物４が絡んでいるので、季節の変化に対してより好適に対応することができる。
すなわち、このように複数の緑化用ネット２，２に常緑性の植物３と落葉性の植物４とを用いることによって、例えば夏場においては、常緑性の植物３および落葉性の植物４の双方ともに葉が生い茂ることとなる。これにより、強い日射を確実に遮ることができるとともに、壁面１と植物との間の空気層が緩衝帯の働きをして壁面１への熱の伝達を防止できるので、建物の外壁表面温度の上昇を防ぎ、さらには室内側の温度上昇も防ぐことができる。
一方、冬場においては、落葉性の植物４は葉が枯れ落ち、常緑性の植物３は葉が残ることとなる。これにより、日中は、日射が落葉性の植物４の葉が落ちた隙間から壁面１まで届くようになるので、建物の外壁表面温度を上昇させ、さらに室内側の温度も上昇させることができる。また、夜間は、枯れずに残った常緑性の植物３によって壁面１がむき出しになることを防ぐことができるので保温に効果がある。
【００１１】
請求項３に記載の発明は、例えば図３に示すように、請求項１または２に記載の壁面緑化構造において、
前記壁面１の前方に立設されるフレーム構造体５に前記複数の緑化用ネット２，２が張設されていることを特徴とする。
【００１２】
請求項３に記載の発明によれば、前記壁面１の前方に立設されるフレーム構造体５に前記複数の緑化用ネット２，２が張設されているので、これら複数の緑化用ネット２，２を、前記壁面１の前方に、この壁面１に対向するとともに、互いに対向するようにして確実に配置することができる。
また、前記フレーム構造体５に対して前記複数の緑化用ネット２，２を張設するだけで壁面緑化を容易に行うことができるので、施工性の向上が可能となる。
【００１３】
請求項４に記載の発明は、例えば図４に示すように、請求項１または２に記載の壁面緑化構造において、
前記壁面１の上部に突設される上側取付部６と、前記壁面１の下部に突設される下側取付部７との間に前記複数の緑化用ネット２，２が張設されていることを特徴とする。
【００１４】
請求項４に記載の発明によれば、前記壁面１の上部に突設される上側取付部６と、前記壁面１の下部に突設される下側取付部７との間に前記複数の緑化用ネット２，２が張設されているので、これら複数の緑化用ネット２，２を、前記壁面１の前方に、この壁面１に対向するとともに、互いに対向するようにして確実に配置することができる。
また、前記上側取付部６および下側取付部７に対して前記複数の緑化用ネット２，２を張設するだけで壁面緑化を容易に行うことができるので、施工性の向上が可能となる。
【００１５】
請求項５に記載の発明は、例えば図３〜図７に示すように、請求項１〜４のいずれか一項に記載の壁面緑化構造において、
前記複数の緑化用ネット２，２よりも上方もしくは下方に、土壌８ａ（９ａ）等を収納するための収納体８（９，１０）が設けられていることを特徴とする。
【００１６】
請求項５に記載の発明によれば、前記複数の緑化用ネット２，２よりも上方もしくは下方に、土壌８ａ（９ａ）等を収納するための収納体８（９，１０）が設けられているので、植物を、前記収納体８（９，１０）に収納された土壌８ａ（９ａ）に植栽するとともに緑化用ネット２に絡ませることで、確実に生育させることができる。
また、前記複数の緑化用ネット２，２よりも上方に収納体８（９，１０）を設けた場合は、下垂性の植物を生育させることができ、前記複数の緑化用ネット２，２よりも下方に収納体８（９，１０）を設けた場合は、登攀性の植物を生育させることができる。
【発明の効果】
【００１７】
本発明によれば、各緑化用ネットにそれぞれ異なる性質の植物を生育させて管理できるので、各緑化用ネットに絡ませる植物の種類を適宜選択することで、従来とは異なり、季節の変化に対して好適に対応することができる。
また、このように各緑化用ネットにそれぞれ異なる性質の植物を生育させて管理でき、互いに対向するようにして配置されているので、生育した植物を季節や趣向によって変更したいという要望があった場合に、変更したい緑化用ネットだけを適宜変更することができる。これによって、従来とは異なり、絡み合った複数の植物どうしを解きほぐしたり、これら複数種類の植物全てを取り除いたり等の手間や時間を省くことができるので、壁面を緑化する植物の変更を簡単に行うことができる。
【発明を実施するための最良の形態】
【００１８】
以下、図面を参照して本発明の実施の形態について説明する。
【００１９】
本実施の形態の壁面緑化構造は、図１〜図５に示すように、垂直面または傾斜面からなる壁面１を緑化してなり、植物を絡ませるための緑化用ネット２が、前記壁面１の前方に、この壁面１に対向するとともに、互いに対向するようにして複数配置されており、これら複数の緑化用ネット２，２には、それぞれ異なる性質の植物３，４が絡んでいる。
【００２０】
なお、本実施の形態の壁面緑化構造は、住宅等の建物を始め、マンションやアパート、店舗等の中・低層建物の壁面を緑化する際に用いられるものである。また、このように本実施の形態においては比較的低層の建物の壁面を緑化する際に用いるものとしたが、これに限られず、高層建物の壁面や堤防、土手など様々な建築物や構造物の壁面を緑化する際に用いることができる。
【００２１】
前記緑化用ネット２は、図１に示すように、金属のワイヤーによって四角枠状に形成されたフレーム部２ａと、このフレーム部２ａに使用されるワイヤーよりも細いワイヤーを縦横に配すことによって形成されるメッシュ部２ｂとを備えている。
このメッシュ部２ｂのメッシュの大きさや形は任意であり、蔓の絡み方の違い、蔓の太さ等、絡ませる植物の種類や性質に合わせて適宜選択することが好ましい。
【００２２】
また、緑化に用いる植物としては、蔓性のものが好ましく、例えば、ヘデラ・へリックスや、テイカカズラ、フジ、ブドウ、ツルバラ、クレマチス、ナツヅタ、セイヨウキヅタ等、様々なものが挙げられる。また、緑化に用いる植物の性質としては、例えば、常緑性のものや落葉性のもの、下垂性、登攀性、単年草、耐寒性、耐陰性、耐暑性等、様々なものが挙げられる。なお、壁面緑化に用いられる植物は、ここに挙げただけでなく、その他にも種々のものがあることは言うまでもない。
【００２３】
本実施の形態においては、図１および図２に示すように、２枚の緑化用ネット２，２を用いるとともに、これら２枚の緑化用ネット２，２のうち、１枚の緑化用ネット２には常緑性の植物３が絡んでおり、１枚の緑化用ネット２には落葉性の植物４が絡んだ状態となっている。
この時、どちらの緑化用ネット２を壁面１側に配置するか等は任意であるが、例えば、植物の種類によって、成長に際してより太陽光を必要としたり、耐寒性や耐暑性が低かったり等、植物の性質を考慮することが望ましい。
【００２４】
そして、このように複数の緑化用ネット２，２のうち、少なくとも１枚の緑化用ネット２には常緑性の植物３が絡んでおり、少なくとも１枚の緑化用ネット２には落葉性の植物４が絡んでいることによって、季節の変化に対して好適に対応することが可能となっている。
すなわち、このように複数の緑化用ネット２，２に常緑性の植物３と落葉性の植物４とを用いることによって、例えば夏場においては、常緑性の植物３および落葉性の植物４の双方ともに葉が生い茂ることとなる。これにより、強い日射を確実に遮ることができるとともに、壁面１と植物との間の空気層が緩衝帯の働きをして壁面１への熱の伝達を防止できるので、建物の外壁表面温度の上昇を防ぎ、さらには室内側の温度上昇も防ぐことができる。
一方、冬場においては、落葉性の植物４は葉が枯れ落ち、常緑性の植物３は葉が残ることとなる。これにより、日中は、日射が落葉性の植物４の葉が落ちた隙間から壁面１まで届くようになるので、建物の外壁表面温度を上昇させ、さらに室内側の温度も上昇させることができる。また、夜間は、枯れずに残った常緑性の植物３によって壁面１がむき出しになることを防ぐことができるので保温に効果がある。
【００２５】
また、春には新緑を、秋には紅葉を楽しむことができ、各季節によって葉の量も変動するので、四季の変化に対して好適に対応することが可能となっている。また、植物を野菜や果物とすることで収穫を楽しむこともできる。
【００２６】
なお、対向する緑化用ネット２，２間の距離は任意であるが、例えば大きく成長する植物を絡ませた緑化用ネットどうしは、極力、植物どうしが絡み合わないように比較的距離を大きくとることが好ましい。一方、大きく成長しない植物を絡ませた緑化用ネットどうしは、比較的距離を小さくとるようにしても良い。
【００２７】
次に、以上のような複数の緑化用ネット２，２を壁面１の前方に配置する際の態様について、図面を参照して説明する。
【００２８】
図３は、前記壁面１の前方に立設されたフレーム構造体５に前記複数の緑化用ネット２，２が張設された状態を示している。
このフレーム構造体５は、上下に起立する複数の支柱５ａと、これら支柱５ａの上端部および下端部において支柱５ａ間に架設される複数の架材５ｂ，５ｃとを備えており、これら複数の支柱５ａと複数の架材５ｂ，５ｃとは例えば溶接等によって接合されている。また、このフレーム構造体５は壁面１の幅方向に沿って複数配置されている。
【００２９】
一方、このフレーム構造体５の下部には、図６に示すように、土壌８ａ等を収納するための収納体８が設けられている。前記複数の緑化用ネット２，２は、この収納体８よりも上方に位置することとなり、収納体８には登攀性の植物が植栽されることとなる。
そして、このように前記複数の緑化用ネット２，２よりも下方に収納体８が設けられることで、植物を前記収納体８に収納された土壌８ａに植栽するとともに緑化用ネット２に絡ませることができるので、植物を確実に生育させることができる。
【００３０】
なお、前記収納体８には、土壌８ａをそのまま収納する他に、プランター（図示せず）に土壌を入れて、このプランターを前記収納体８に収納するようにしても良い。また、収納体８には、土壌８ａだけでなく、例えば植物に水を注ぐための潅水装置（図示せず）を収納するようにしても良い。
【００３１】
また、このフレーム構造体５は、前記複数の緑化用ネット２，２が適正に張設された際に、これら緑化用ネット２が前記壁面１に対して正確に対向するような位置に立設配置されるようになっている。
さらに、前記壁面１とフレーム構造体５との間の距離は任意であるが、壁面緑化を行うことを考慮して、あまり大きく距離をとらないことが好ましい。
【００３２】
そして、以上のように前記壁面１の前方に立設されるフレーム構造体５に前記複数の緑化用ネット２，２が張設されることによって、これら複数の緑化用ネット２，２を、前記壁面１の前方に、この壁面１に対向するとともに、互いに対向するようにして確実に配置することができるようになっている。
また、前記フレーム構造体５に対して前記複数の緑化用ネット２，２を張設するだけで壁面緑化を容易に行うことができるので、施工性の向上が可能となる。
【００３３】
続いて、図４は、前記壁面１の上部に突設される上側取付部６と、前記壁面１の下部に突設される下側取付部７との間に前記複数の緑化用ネット２，２が張設された状態を示している。
前記上側取付部６および下側取付部７は、壁面１から突設された２本のブラケット６ａ，６ａ，７ａ，７ａと、これらブラケット６ａ，６ａ，７ａ，７ａ間に架設される梯子状の支持部６ｂ，７ｂとをそれぞれ備えており、これらブラケット６ａ，６ａ，７ａ，７ａと支持部６ｂ，７ｂとは例えば溶接等によって接合されている。また、これら上側取付部６および下側取付部７は壁面１の幅方向に沿って複数配置されている。
【００３４】
一方、前記上側取付部６の上方には、図７に示すように、土壌９ａ等を収納するための収納体９が設けられている。前記複数の緑化用ネット２，２は、この収納体９よりも下方に位置することとなり、収納体９には下垂性の植物が植栽されることとなる。
そして、このように前記複数の緑化用ネット２，２よりも上方に収納体９が設けられることで、植物を前記収納体９に収納された土壌９ａに植栽するとともに緑化用ネット２に絡ませることができるので、植物を確実に生育させることができる。
なお、前記収納体９には、土壌９ａが入れられたプランター９ｂが収納されており、収納体９とプランター９ｂとの隙間から植物の蔓が下垂するようになっている。
【００３５】
そして、以上のように前記壁面１の上部に突設される上側取付部６と、前記壁面１の下部に突設される下側取付部７との間に前記複数の緑化用ネット２，２が張設されることによって、これら複数の緑化用ネット２，２を、前記壁面１の前方に、この壁面１に対向するとともに、互いに対向するようにして確実に配置することができるようになっている。
また、前記上側取付部６および下側取付部７に対して前記複数の緑化用ネット２，２を張設するだけで壁面緑化を容易に行うことができるので、施工性の向上が可能となる。
【００３６】
次に、図５は、前記壁面１に、土壌（図示せず）等を収納するための収納体１０が取付固定され、この収納体１０の上方および下方に複数の緑化用ネット２，２が設けられた状態を示している。
すなわち、壁面緑化部分が高い位置と低い位置とに設けられ、これら高い位置の壁面緑化部分と、低い位置の壁面緑化部分との間に収納体１０を設けた構成となっている。
なお、前記複数の緑化用ネット２，２は、壁面１に突設された複数のブラケット１０ａに引っ掛けられるようにして張設されている。
【００３７】
そして、このように収納体１０を挟んで上下に壁面緑化部分が設けられているので、前記収納体１０に登攀性の植物と下垂性の植物とを植栽することで、上下の壁面緑化部分の双方に植物を生育させることができるようになっている。
【００３８】
なお、本実施の形態においては、２枚の緑化用ネット２，２を用いることとしたが、これに限られるものではなく、図８に示すように、例えばメッシュの大きさや形状の異なる複数の緑化用ネット２０，２１，２２，２３等を用いても良く、本発明の趣旨を逸脱しない範囲で適宜変更可能である。
【００３９】
本実施の形態によれば、各緑化用ネット２にそれぞれ異なる性質の植物３，４を生育させて管理できるので、各緑化用ネット２に絡ませる植物の種類を適宜選択することで、従来とは異なり、季節の変化に対して好適に対応することができる。
また、このように各緑化用ネット２にそれぞれ異なる性質の植物３，４を生育させて管理でき、互いに対向するようにして配置されているので、生育した植物を季節や趣向によって変更したいという要望があった場合に、変更したい緑化用ネット２だけを適宜変更することができる。これによって、従来とは異なり、絡み合った複数の植物どうしを解きほぐしたり、これら複数種類の植物全てを取り除いたり等の手間や時間を省くことができるので、壁面１を緑化する植物の変更を簡単に行うことができる。
【図面の簡単な説明】
【００４０】
【図１】複数の緑化用ネットの配置状態を示す斜視図である。
【図２】図１の複数の緑化用ネットに植物を絡ませた状態を示す斜視図である。
【図３】壁面の前方に立設されたフレーム構造体に複数の緑化用ネットが張設された状態を示す斜視図である。
【図４】壁面の上部に突設される上側取付部と、壁面の下部に突設される下側取付部との間に複数の緑化用ネットが張設された状態を示す斜視図である。
【図５】壁面に収納体が取付固定され、この収納体の上方および下方に複数の緑化用ネットが設けられた状態を示す斜視図である。
【図６】複数の緑化用ネットよりも下方に収納体が設けられたことを示す断面図である。
【図７】複数の緑化用ネットよりも上方に収納体が設けられたことを示す断面図である。
【図８】複数の緑化用ネットの配置状態を示す斜視図である。
【符号の説明】
【００４１】
１  壁面
２  緑化用ネット
【図１】
2008079519.tif 000003
【図２】
2008079519.tif 000004
【図３】
2008079519.tif 000005
【図４】
2008079519.tif 000006
【図５】
2008079519.tif 000007
【図６】
2008079519.tif 000008
【図７】
2008079519.tif 000009
【図８】
2008079519.tif 000010